(57)【要約】【課題】照明装置の設置条件、例えば季節や場所といった条件が異なっても、夜間の時間に応じて照度の調整を行う照明装置を提供する。【解決手段】照明装置１００は、日没を判定する昼夜検出部１１３と、照明部の日没からの累積点灯時間を計測する計数部１１５と、累積点灯時間を記憶する記憶部１１４を備える。制御部１１２は、昼夜検出部１１３により日没が判定されると、電源部１０２から照明部１２１への電力供給を開始させ、記憶部１１４に記憶された累積点灯時間を読み出し、累積点灯時間に応じて照明部１２１の照度を調節することを特徴とする。【選択図】図１
2010212232.tif 000002
【特許請求の範囲】
【請求項１】
日没から日の出までの照明を行う時間をｎ分割し、分割されたそれぞれの時間ごとに異なる照度で照明を行う照明装置であって、
照明部と、
前記照明部へ電力を供給する電源装置と、
ｎ分割されたそれぞれの時間において前記電源装置から前記照明部への電力供給を調節する制御部と、
日没及び日の出を判定する明るさ判定部と、
前記照明部の日没からの累積点灯時間を計測する計数部と、
前記累積点灯時間の履歴を記憶する記憶部と、を有し、
前記制御部は、ｎ分割された日没から日の出までの総時間のうち第１番目から第（ｎ−１）番目の時間を、前記記憶部から読み出した累積点灯時間に一定の割合を乗じて決定し、前記明るさ判定部により日没が判定されると、前記電源装置から前記照明部への電力供給を開始させることを特徴とする照明装置。
【請求項２】
前記記憶部からユーザーが設定した取得すべき累積点灯時間の取得パターンが記憶された第１の記憶部を更に有し、前記制御部は、前記第１の記憶部から読み出した取得パターンに応じて、前記記憶部に記憶された累積点灯時間の履歴を読み出し、これにもとづき前記第１番目から第（ｎ−１）番目の時間を決定することを特徴とする請求項１に記載の照明装置。
【請求項３】
前記制御部は、前記第１の記憶部から読み出した取得パターンにより、前記記憶部から、前日の累積点灯時間の履歴を読み出し、前記第１番目から第（ｎ−１）番目の時間を決定することを特徴とする請求項２に記載の照明装置。
【請求項４】
前記制御部は、前記第１の記憶部から読み出した取得パターンにより、前記記憶部から前日を含んだ所定日数における累積点灯時間の履歴を読み出し、これらの平均値を算出し、前記第１番目から第（ｎ−１）番目の時間を決定することを特徴とする請求項２に記載の照明装置。
【請求項５】
前記電源装置は、前記照明部へ電力を供給する二次電池と、前記二次電池へ充電電力を供給する太陽電池からなることを特徴とする請求項１〜４に記載の照明装置。
【請求項６】
前記明るさ判定部は、前記太陽電池の出力に基づいて日没及び日の出を判定することを特徴とする請求項５に記載の照明装置。
【請求項７】
照明部へ電力を供給し調節する照明制御方法であって、
日没及び日の出を判定するステップと、
日没からの累積点灯時間を計測するステップと、
前記累積点灯時間の履歴を記憶するステップと、
日没が判定されると、照明部への電力供給を開始させるステップと、
日没から日の出までの照明を行う時間をｎ分割し、分割されたそれぞれの時間ごとに異なる照度で照明を行うステップと、
ｎ分割された日没から日の出までの総時間のうち第１番目から第（ｎ−１）番目の時間を、記憶された累積点灯時間に一定の割合を乗じて決定するステップと、
を有することを特徴とする照明制御方法。
【請求項８】
前記二次電池の蓄電容量を測定する蓄電容量測定部と、
前記蓄電容量測定部が測定する二次電池の照明開始前の第１の蓄電容量及び照明終了後の第２の蓄電容量を記憶する蓄電容量記憶部と、を更に備え、
前記制御部は、前記蓄電容量測定部が照明当日の照明開始前において測定した第３の蓄電容量と前記第２の蓄電容量との第１の差分、及び前記第１の蓄電容量と前記第２の蓄電容量との第２の差分に基づいて、照明当日の前記照明部への電力供給量を調整することを特徴とする請求項５または請求項６記載の照明装置。
【請求項９】
前記第１及び第２の蓄電容量は照明前日の蓄電容量であって、
前記制御部は、前記第１の差分と前記第２の差分との比率を、前記第３の蓄電容量に乗じた蓄電容量を前記照明部への前記電力供給量とすることを特徴とする請求項８記載の照明装置。
【請求項１０】
前記二次電池の満充電時の電池容量比率を１００％とし、前記二次電池の過放電保護電圧時の電池容量比率をｈｄ％としたとき、前記第１の差分は、（照明当日の照明開始前の電池容量比率―ｈｄ）／（１００−ｈｄ）と（照明前日の照明終了後の電池容量比率―ｈｄ）／（１００−ｈｄ）との差であり、前記第２の差分は、（照明前日の照明開始前の電池容量比率―ｈｄ）／（１００−ｈｄ）と（照明前日の照明終了後の電池容量比率―ｈｄ）／（１００−ｈｄ）との差であることを特徴とする請求項９記載の照明装置。
【発明の詳細な説明】
【技術分野】
【０００１】
本発明は、夜間に照明を行う照明装置及び照明制御方法に関する。
【背景技術】
【０００２】
住宅やその周辺道路等においては、人間の足下の照明や道路境界の明示、防犯などを目的とした照明装置が設置されている。これら照明装置は、商用電源や太陽電池などを電源とし、主に例えば蛍光灯、発光ダイオード等の発光体自体の明るさを利用したものである。
また、これらの照明装置においては、日没になると点灯し、日没から一定時間経過後は照度を抑える制御をする照明装置が知られている。
例えば、特許文献１においては、日没からの経過時間に応じて、通常照度と通常照度より低い低照度の間で切り替えを行い、照明部の照度を調節する照明装置が開示されている。
【先行技術文献】
【特許文献】
【０００３】
【特許文献１】特開２００６−２４４７１１号公報
【発明の概要】
【発明が解決しようとする課題】
【０００４】
しかしながら、特許文献１における照明装置は、季節によって異なる照明時間、すなわち夜の時間の変化に対応することができない。照明部の照度を調節するために、タイマー等で時間設定をし、照度を低照度にするとしても、点灯開始時刻である日没の時刻、点灯終了時刻である日の出の時刻は、季節、場所により変化するものである。すなわち、夜の時間は、日本国内であっても季節により異なり、また同じ季節であっても国内と海外では夜間時間が異なる。
例えば、夏の場合に日没が１９時で日の出が翌朝５時であるとすれば、夜の時間、すなわち照明時間は１０時間になる。一方、冬の場合、例えば日没が１７時で日の出が翌朝７時であるとすれば、照明時間は１４時間となり、夏に比べ４時間長くなる。
【０００５】
照明装置が、例えば防犯灯である場合において、照明装置の照度を通常照度から低照度にする変更時刻を、夏にあわせて日没から４時間後と時間設定すると、冬においてはまだ人通りの多い２１時に、照度が低下して必要な照度を提供できなくなる。
一方、冬に合わせて日没から７時間後と、上記変更時刻の時間設定を行うと、夏においては午前２時まで通常照度のまま動作することになり、不必要な電力が消費されてしまい効率的ではない。
【０００６】
そこで、本発明は、省エネルギーで効率のよい照明を行うことができて、例えば防犯灯のように人々の期待に答えることのできる照明装置を提供することを課題とする。
また、季節、場所といった条件が異なり、照明が必要な時間、すなわち夜の時間が異なっても、必要な時間帯に必要な照度で照明を行う照明装置を提供することを課題とする。
【課題を解決するための手段】
【０００７】
本発明の照明装置は、日没から日の出までの照明を行う時間をｎ分割し、分割されたそれぞれの時間ごとに異なる照度で照明を行う照明装置であって、照明部と、前記照明部へ電力を供給する電源装置と、ｎ分割されたそれぞれの時間において前記電源装置から前記照明部への電力供給を調節する制御部と、日没及び日の出を判定する明るさ判定部と、前記照明部の日没からの累積点灯時間を計測する計数部と、前記累積点灯時間の履歴を記憶する記憶部と、を有し、前記制御部は、ｎ分割された日没から日の出までの総時間のうち第１番目から第（ｎ−１）番目の時間を、前記記憶部から読み出した累積点灯時間に一定の割合を乗じて決定し、前記明るさ判定部により日没が判定されると、前記電源装置から前記照明部への電力供給を開始させることを特徴とする。
【０００８】
本発明の照明装置は、前記記憶部からユーザーが設定した取得すべき累積点灯時間の取得パターンが記憶された第１の記憶部を更に有し、前記制御部は、前記第１の記憶部から読み出した取得パターンに応じて、前記記憶部に記憶された累積点灯時間の履歴を読み出し、これにもとづき前記第１番目から第（ｎ−１）番目の時間を決定することを特徴とする。
また、本発明の照明装置は、前記制御部は、前記第１の記憶部から読み出した取得パターンにより、前記記憶部から、前日の累積点灯時間の履歴を読み出し、前記第１番目から第（ｎ−１）番目の時間を決定することを特徴とする。
また、本発明の照明装置は、前記制御部は、前記第１の記憶部から読み出した取得パターンにより、前記記憶部から前日を含んだ所定日数における累積点灯時間の履歴を読み出し、これらの平均値を算出し、前記第１番目から第（ｎ−１）番目の時間を決定することを特徴とする。
【０００９】
本発明の照明装置において、前記電源装置は、前記照明部へ電力を供給する二次電池と、前記二次電池へ充電電力を供給する太陽電池からなることを特徴とする。
また、本発明の照明装置は、前記明るさ判定部は、前記太陽電池の出力に基づいて日没及び日の出を判定することを特徴とする。
【００１０】
本発明の照明制御方法は、照明部へ電力を供給し調節する照明制御方法であって、日没及び日の出を判定するステップと、日没からの累積点灯時間を計測するステップと、前記累積点灯時間の履歴を記憶するステップと、日没が判定されると、照明部への電力供給を開始させるステップと、日没から日の出までの照明を行う時間をｎ分割し、分割されたそれぞれの時間ごとに異なる照度で照明を行うステップと、ｎ分割された日没から日の出までの総時間のうち第１番目から第（ｎ−１）番目の時間を、記憶された累積点灯時間に一定の割合を乗じて決定するステップと、を有することを特徴とする。
【発明の効果】
【００１１】
この発明によれば、記憶された累積点灯時間の履歴、例えば前日の累積点灯時間や直前の３日間の累積点灯時間の平均値などに基づき照明装置の照度を調節できるので、照明装置の設置条件、例えば季節や場所といった条件が異なっても、必要な時間帯に必要な照度で照明を行う照明装置を実現できる。
【図面の簡単な説明】
【００１２】
【図１】本発明の一実施形態に係る照明装置の構成図である。
【図２】図１で示した照明装置の動作フローチャートである。
【図３】図２の動作を補足するためのグラフである。
【図４】図２の動作を補足するための図である。
【図５】本発明の一実施形態に係る照明装置の構成図である。
【図６】図５で示した照明装置の動作フローチャートである。
【図７】本発明の一実施形態に係る照明装置の動作を補足するためのグラフである。
【図８】本発明の一実施形態に係る照明装置の動作を補足するためのグラフである。
【図９】本発明の一実施形態に係る照明装置の動作フローチャートである。
【発明を実施するための形態】
【００１３】
（第１実施形態）
以下に、本発明の一実施形態について、図面を参照しつつ説明する。
図１は、本発明の一実施形態に係る照明装置１００の構成図である。照明装置１００は、例えば道路、公園等に設置され、日没とともに点灯され、周辺を照明する装置である。
図１において、照明装置１００は、電源装置１０１、照明制御部１１１、照明部１２１から構成される。
電源装置１０１は、図１においては電源部１０２から構成される。電源部１０２は、例えば、商用電源から供給される電力を照明装置に必要な電圧値に変換し、点灯に必要な電力を供給する。
【００１４】
照明制御部１１１は、制御部１１２、昼夜検出部１１３（明るさ判定部）、記憶部１１４、計数部１１５から構成される。
制御部１１２は、昼夜検出部１１３、記憶部１１４、計数部１１５、照明部１２１の駆動制御部１２２を制御し、照明部１２１への電力供給、照度調節を行う。
具体的には、制御部１１２は、照明部１２１の駆動制御部１２２に対して、照明開始信号、照度調節信号及び照明停止信号を出力し、照明部１２１への電力供給、照度調節を行う。
また、制御部１１２は、計数部１１５に対して、計数開始信号を出力し点灯時間計測を開始させ、計数停止信号を出力し点灯時間計測を停止させる。
また、制御部１１２は、記憶部１１４に対して、書き込み開始信号を出力し累積点灯時間を記憶させる。
制御部１１２が行う照度調節については、後述する。
【００１５】
昼夜検出部１１３は、昼夜判定、すなわち、日没及び日の出の判定を、照明装置１００の周囲の明るさである周囲照度を検出し、設定した照度以上を昼間、設定した照度未満を夜間として判定を行う。日没及び日の出の判定は、例えば照度センサを用い、照明装置１００の周囲照度を検出することにより判定する。なお、昼夜検出部１１３は、日没及び日の出を検出し、制御部１１２に対して昼夜検出信号（日没検出信号、日の出検出信号）を出力する。
【００１６】
また、計数部１１５は、制御部１１２から入力される計数開始信号に応答し、昼夜検出部１１３が夜、すなわち日没と判定した以降の時間、すなわち、照明当夜の全点灯時間Ｔｍを、タイマーにより計測する。そして、計数部１１５は、計測開始後、昼夜検出部１１３が昼、すなわち日の出と判定したときは、制御部１１２から入力される計数停止信号に応答して、タイマーを停止させ、記憶部１１４に対して照明当夜の全点灯時間Ｔｍを出力する。
記憶部１１４は、制御部１１２から書き込み開始信号が入力され、これにより計数部１１５から入力される照明当夜の全点灯時間Ｔｍを記憶する。
【００１７】
照明部１２１は、駆動制御部１２２、照明駆動部１２３、照明部１２４から構成される。
駆動制御部１２２は、制御部１１２から入力される照明開始信号、照度調節信号及び照明停止信号に応答して、照明駆動部１２３の照明部１２４への電力供給の開始、供給する電力量の調節、あるいは電力供給の停止を行う。
照明駆動部１２３は、電源部１０２から供給される電力を、照明部１２４へ供給し、照明部１２４を点灯させる。また、照明駆動部１２３は、その電力供給量を調節することにより照明部１２４の照度を変更させ、あるいは、電力供給を停止させることで照明部１２４を消灯させる。ここで、照明部１２４としては、例えば、ＬＥＤ（Ｌｉｇｈｔ  Ｅｍｉｔｔｉｎｇ  Ｄｉｏｄｅ）ランプが適用される。
【００１８】
制御部１１２が行う照度調節について、詳述する。
制御部１１２は、照明当夜の点灯パターンを取得する。点灯時間パターンとは、日没からの点灯時間に応じて照明部の照度を調節する際にベースとなる点灯時間の種類である。点灯時間パターンは、制御部１１２に記憶されていてもよいし、或いは記憶部１１４に記憶されていてもよい。望ましくは、制御部１１２が取得しやすいよう、図４（ａ）のように、パターン番号と取得する点灯時間の種類が対応付けられ記憶されていることが好ましい。以下、この記憶部を第１の記憶部とする。また、制御部１１２は、本実施形態においては、第１の記憶部からパターン２を読み出し、前日の累積点灯時間Ｔｙに基づき、照度調節を行うものとする。なお、制御部１１２が、いずれのパターンを取得するかは、照明装置１００が設置される際において、設置される場所等の条件によって、ユーザーが予め設定しておくことができる。
【００１９】
また、制御部１１２は、日没からの点灯時間の経過にともない、照明部の照度を調節する。
例えば、照明当夜の全点灯時間Ｔｍのうち、照明時間Ｔａと照明時間Ｔｂは、前日の累積点灯時間Ｔｙのそれぞれ５０％、２５％とし、日没から照明時間Ｔａの間は照度を１００％で、以降の照明時間Ｔｂの間は照度を７５％で、残りの日の出までの時間は照度を５０％で点灯させることができる。
なお、照明時間Ｔｂにおける照度、照明時間Ｔｂ経過後日の出までの照度を、それぞれを照明時間Ｔａにおける照度の７５％、５０％としたが、この数字に限られるものではない。
【００２０】
制御部１１２は、この照明時間Ｔａと照明時間Ｔｂを、前日の消灯以降当日の点灯までの間において、記憶部１１４から前日の累積点灯時間Ｔｙを読み出し、これをもとに、照明時間Ｔａ、照明時間Ｔｂを算出し、例えば、図４（ｂ）に示すように、各点灯時間と照度を対応付け、記憶させておくことができる。以下、この記憶部を第２の記憶部とする。
【００２１】
また、照明時間Ｔａ、照明時間Ｔｂが経過したかどうかの検出は、制御部１１２が駆動制御部１２２へ照度調節信号を迅速に出力できれば、制御部１１２ではなく計数部１１５が行うことにしてもよい。
例えば、計数部１１５が、タイマーによる点灯時間計測中に第２の記憶部を参照しつつ、制御部１１２へ照度変更時刻の到達を速やかに知らせる構成をとることもできる。以下、本実施形態においては、計数部１１５が、第２の記憶部を参照して、制御部１１２に対して照度変更時刻の到達を告げる信号、照明時間Ｔａ経過信号、照明時間Ｔｂ経過信号を出力するものとして、説明を続ける。
【００２２】
なお、第２の記憶部は、制御部１１２、計数部１１５のいずれに設けられていてもよいし、或いは記憶部１１４に記憶されていてもよい。また、照明時間Ｔａと照明時間Ｔｂを、前日の累積点灯時間Ｔｙのそれぞれ５０％、２５％に等しい時間としたが、これに限られず、例えば前日の累積点灯時間Ｔｙにそれぞれ６０％、２０％を乗じた時間としてもよい。
【００２３】
また、照度調節の割合及び前日の累積点灯時間Ｔｙに乗じる割合を、上述のように固定値とするのではなく、別途記憶部を設け、制御部がかかる記憶部を参照して、照度調節の割合及び累積点灯時間に乗ずる割合を読み出す構成としてもよい。例えば、前日の累積点灯時間Ｔｙがある時間の範囲にあれば、累積点灯時間に乗ずる割合を大きくし、かつ照度調節の割合を小さくし、また別の範囲にあれば、累積点灯時間に乗ずる割合を小さくし、かつ照度調節の割合を大きくするという調整ができるようにしてもよい。
【００２４】
上述の照明装置１００の動作について、図２乃至図４を用いて説明する。
図２は、照明装置１００の動作フローチャートであり、図３及び図４は、図２を補足するための図である。
図３は、一日における照明装置１００の点灯時間と点灯電流の関係を、夏季と冬季に分けて示した図であり、図３（ａ）が夏季、図３（ｂ）が冬季における点灯時間と点灯電流の関係を示している。なお、図３においては、例えば、夏季として夏至を、冬季として冬至を示している。
また、図４は、上述したように、制御部１１２が照明部１２１を制御するにあたり取得する点灯時間のパターンを、図４（ｂ）は、照明時間と照度の関係を示している。
【００２５】
照明装置１００が設置され電源が投入されると、記憶部１１４等の初期設定が行われる（ステップ１）。
次に、昼夜検出部１１３は、例えば照度センサを用いて照明装置１００の周囲照度を検出し、日没と判定すれば、制御部１１２に対して昼夜検出信号（日没検出信号）を出力する（ステップ２）。
【００２６】
制御部１１２は、照明部１２１の点灯時間パターンを取得する（ステップ３）。
なお、制御部１１２は、照明装置１００の設置直後においては前日以前の累積点灯時間が存在しないため、第１の記憶部からパターン１のデフォルトを取得する。かかる場合、デフォルト値、例えば８時間をもとに、照明時間Ｔａ、照明時間Ｔｂが決定される。
また、制御部１１２は、二日目以降においては、第１の記憶部から、パターン２を取得する。かかる場合、前日の累積点灯時間Ｔｙをもとに、照明時間Ｔａ、照明時間Ｔｂが決定される。本実施形態においては、説明の便宜上、二日目以降の動作であり、第１の記憶部からパターン２を取得するものとして、説明を続ける。なお、夏季の場合は、前日の累積点灯時間Ｔ１ｙを１０時間、冬季の場合は前日の累積点灯時間Ｔ２ｙを１４時間とする。
【００２７】
ここで、制御部１１２が、二日目以降において、パターン１を取得しないようにするには、例えば、一回目の点灯の際に制御部１１２に入力されるいずれかの信号、例えば昼夜検出信号（日の出検出信号）を用いて、制御部１１２が第１の記憶部からパターン１を取得することを禁止するよう、制御部１１２を構成しておけばよい。
また、図４（ａ）におけるパターン３以降を取得する場合においては、制御部１１２は、所定日数の間（例えばパターン３の場合は３日間）、パターン１におけるデフォルト値、例えば８時間をもとに当夜の照明時間Ｔａ、照明時間Ｔｂを決定する。そして、所定日数経過後は、記憶部１１４にその所定日数分の累積点灯時間の履歴が記憶されるので、制御部１１２は、第１の記憶部から読み出したパターンによって、照明時間Ｔａ、照明時間Ｔｂを算出し、第２の記憶部へ記憶させる。
【００２８】
次に、制御部１１２は、計数部１１５に対して計測開始信号を出力する。計数部１１５は、これに応答してタイマーをスタートさせ、照明当夜の全点灯時間Ｔｍを計数し始める（ステップ４）。なお、ステップ３、ステップ４は、時間差を設ける必要はないため、いずれが先行してもよい。
【００２９】
また、制御部１１２は、駆動制御部１２２に対して、照明開始信号を出力する。駆動制御部１２２は、これに応答して照明駆動部１２３から照明部１２４への電力供給を開始させる。
そして、照明駆動部１２３は、電源部１０２から照明部１２４へ電力、例えば電流を供給し、照明部１２４を点灯させる（ステップ５）。
点灯時刻は、例えば、図３に示すように、夏季の場合は１９時、冬季の場合は１７時である。なお、図３においては、夏季、冬季ともに、このときの電流量、すなわち点灯開始時における電流量を１００％として示している。
【００３０】
次に、計数部１１５は、当夜の点灯時間が照明時間Ｔａを経過すると、制御部１１２へ照明時間Ｔａ経過信号を出力する（ステップ６）。
ここで、照明時間Ｔａは、図３に示すように、夏季の場合は、前日の累積点灯時間Ｔ１ｙの１０時間に５０％乗じた５時間、冬季の場合は、前日の累積点灯時間Ｔ２ｙの１４時間に５０％乗じた７時間である。
制御部１１２は、計数部１１５からの照明時間Ｔａ経過信号が入力されると、照明部１２４の照度を点灯開始時における７５％とする照度調節信号を、駆動制御部１２２に対して出力する。
【００３１】
駆動制御部１２２は、照度調節信号が入力されると、照明駆動部１２３の照明部１２４への電流供給量を調節させる。そして、照明駆動部１２３は、照明部１２４への電流供給量を、点灯開始時の７５％にし、照明部１２４の照度を７５％へ下げる（ステップ７）。
なお、照明駆動部１２３は、電源部１０２から供給される電圧を調整することにより、照明部１２４の照度を変更させる構成としてもよい。かかる場合において、照明部１２４は供給された電圧に応じて、照度を変更する。
この時刻は、図３において、夏季、冬季ともに深夜０時であり、当夜の点灯開始から照明時間Ｔａ（夏季の場合は５時間、冬季の場合は７時間）経過した時刻である。
なお、照明時間Ｔａが経過していない場合は、ステップ５に戻り、照明装置１００は、点灯開始時における照度の１００％の状態を継続する。
【００３２】
次に、計数部１１５は、照度７５％の点灯時間が照明時間Ｔｂを経過すると、制御部１１２へ照明時間Ｔｂ経過信号を出力する（ステップ８）。ここで、照明時間Ｔｂは、図３に示すように、夏季の場合は、前日の累積点灯時間Ｔ１ｙの１０時間に２５％乗じた２．５時間、冬季の場合は、前日の累積点灯時間Ｔ２ｙの１４時間に２５％乗じた３．５時間である。
【００３３】
続いて、制御部１１２は、計数部１１５から照明時間Ｔｂ経過信号が入力されると、照明部１２４の照度を点灯開始時における照度の５０％とする照度調節信号を、駆動制御部１２２に対して出力する。
駆動制御部１２２は、照度調節信号が入力されると、照明駆動部１２３の照明部１２４への電流供給量を調節させる。そして、照明駆動部１２３は、照明部１２４への電流供給量を、点灯開始時の５０％にし、照明部１２４の照度を５０％へ下げる（ステップ９）。
なお、上述したように、照明駆動部１２３は、電源部１０２から供給される電圧を調整することにより、照明部１２４の照度を変更させる構成としてもよい。かかる場合において、照明部１２４は供給された電圧に応じて、照度を変更する。
【００３４】
この時刻は、図３において、夏季の場合は深夜２時半、冬季の場合は深夜３時半であり、点灯開始後、ＴａとＴｂを加えた時間（夏季の場合は７．５時間、冬季の場合は１０．５時間）経過している時刻である。
なお、照明時間Ｔｂが経過していない場合は、ステップ７に戻り、照明装置１００は、点灯開始時における照度の７５％の状態を継続する。
【００３５】
続いて、昼夜検出部１１３は、日の出と判定すると、制御部１１２に対して昼夜検出信号（日の出検出信号）を出力する（ステップ１０）。昼夜検出部１１３が、日の出と判定しない場合は、ステップ９へ戻り、点灯開始時における照度の５０％の状態を継続する。
制御部１１２は、昼夜検出部１１３から昼夜検出信号（日の出検出信号）が入力されると、計数部１１５に対して計数停止信号を出力し、計数部１１５はこれに応答してタイマーを停止させる（ステップ１１）。
そして、制御部１１２は、書き込み開始信号を記憶部１１４に対して出力し、記憶部１１４は、計数部１１５から入力される照明当夜の全点灯時間Ｔｍを記憶する（ステップ１２）。
【００３６】
また、制御部１１２は駆動制御部１２２に対して、照明停止信号を出力する。駆動制御部１２２は、これに応答して、照明駆動部１２３の照明部１２４への電流供給を停止させる。そして、照明駆動部１２３は、照明部１２４への電流供給を停止し、照明部１２４を消灯させる（ステップ１３）。
この時刻は、図３において、夏季の場合は朝５時前後、冬季の場合は朝７時前後であり、前夜の点灯開始後、夏季は約１０時間（Ｔ１）、冬季は約１４時間（Ｔ２）経過している時刻である。
【００３７】
翌日においては、昼夜検出部１１３が、日没と判定すれば、制御部１１２に対して昼夜検出信号（日没検出信号）を出力し（ステップ２）、ステップ３以降の動作を続ける。また、照度が１００％の照明時間Ｔａ及び照度が７５％の照明時間Ｔｂは、それぞれ、上述のＴｍ（夏季はＴ１、冬季はＴ２）に５０％乗じた時間、２５％乗じた時間となる。
【００３８】
これにより、例えば夏から冬にかけて夜の時間が長くなり、照明時間も長くなるが、前日の累積照明時間に応じて照度を調整するので、これに応じて照度が１００％の時間も長くなる。従って、上述のような明るく照明すべき時間帯に照度が下がるということはない。また、冬から夏にかけて夜の時間が短くなり、照明時間も短くなるが、これに応じて照度が１００％の時間も短くなる。従って、不必要な消費電力量を減少できるので、エネルギー効率のよい照明装置を提供できる。
また、上述の通り、季節、場所といった条件が異なり、照明が必要な時間、すなわち夜の時間が異なっても、必要な時間帯に必要な照度で照明を行う照明装置を提供できる。
【００３９】
（第２実施形態）
図５は、本発明の一実施形態に係る照明装置２００の構成図である。
図５において、図１に相当する部分には、図１と同一の符号を付している。
以下、説明の重複を避けるため、図１と相違する点について説明する。
照明装置２００内の電源装置１０１は、太陽電池１０３、充電部１０４、二次電池１０５から構成される。
【００４０】
太陽電池１０３は太陽光を受けて発電し、その起電力を、充電部１０４を介して二次電池１０５へ蓄電する。
昼夜検出部１１３は、太陽電池１０３の起電力を検出し、設定した基準電圧を参照し、起電圧が基準電圧より高い場合は昼、すなわち日の出と検出し、検出結果を昼夜検出信号（日の出検出信号）として制御部１１２に対して出力する。また、起電圧が基準電圧より低い場合は、夜、すなわち日没と検出し、検出結果を昼夜検出信号（日没検出信号）として制御部１１２に対して出力する。
【００４１】
図６は、照明装置２００の動作フローチャートである。
以下に、図６を用いて上述の照明装置２００の動作について、照明装置１００と相違する点について説明する。なお、説明の際、適宜、図３及び図４を参照する。
昼夜検出部１１３が、太陽電池１０３の起電圧が基準電圧より低いと、すなわち夜と検出すると、制御部１１２に対して昼夜検出信号（日没検出信号）を出力する（ステップ２）。
【００４２】
次に、制御部１１２は、計数部１１５に対して計数開始信号を出力し、計数部１１５はこれに応答してタイマーをスタートさせる（ステップ３）。また、制御部１１２は、点灯時間パターンを取得する（ステップ４）。
ここで、取得する点灯時間パターンとして、上述の第１の記憶部からパターン３を取得することができる。すなわち、前日まで３日間の点灯時間の平均値をもとに、ステップ５、ステップ７における照明時間Ｔａ、照明時間Ｔｂを決定することができる。
【００４３】
すなわち、制御部１１２は、前日の消灯以降当日の点灯までの間において、記憶部１１４から、前日まで３日間の点灯時間、夏季の場合は例えば９．９８時間、１０時間、１０．０２時間の３データを読み出す。そして、３データの平均値を１０時間と算出し、記憶部１１４へ記憶させる。また、制御部１１２は、照明時間Ｔａ、照明時間Ｔｂを算出し、上述の第２の記憶部へ、Ｔａは５時間、Ｔｂは２．５時間と記憶させる。
【００４４】
計数部１１５は、第２の記憶部を参照しつつ、制御部１１２へ、照度変更時刻の到達を告げる信号、照明時間Ｔａ経過信号、照明時間Ｔｂ経過信号を出力する（ステップ６、ステップ８）。制御部１１２は、これらが入力されると、駆動制御部１２２、照明駆動部を介して、照明部１２４の照度を７５％、５０％へと下げる（ステップ７、ステップ９）。
【００４５】
昼夜検出部１１３が、太陽電池１０３の起電圧が基準電圧より高いと判断し、日の出を検出すると、制御部１１２に対して昼夜検出信号(日の出検出信号)を出力する（ステップ１０）。
その後、制御部１１２からの制御により、計数部１１５はタイマーを停止させ（ステップ１１）、記憶部１１４は、照明当夜の全点灯時間Ｔｍを記憶し（ステップ１２）、照明駆動部１２３は、照明部１２４を消灯させる（ステップ１３）。
【００４６】
翌日においては、昼夜検出部１１３が、日没と判定すれば、制御部１１２に対して昼夜検出信号（日没検出信号）を出力し（ステップ２）、ステップ３以降の動作を続ける。なお、制御部１１２は、当日の点灯までの間において、上述のＴｍを含んだ３日間の平均値を記憶部１１４読み出し、３日間の平均値を算出し、記憶部１１４へ記憶させる。制御部１１２は、照明時間Ｔａ及び照明時間Ｔｂを算出し、上述の第２の記憶部へ記憶させる。
【００４７】
これにより、上述の第１の実施形態の効果を維持しつつ、例えば照明当日前３日間のうちに天候不順の日があり点灯時間が他の２日間と異なっても、３日間の照明時間の平均値により当日の照度と照明時間を決めることができる。従って、天候の変化に精度よく応じることのできる照明装置を提供できる。
【００４８】
なお、上述の第２の実施形態においては、取得する点灯時間のパターンとして、第１の記憶部からパターン３を取得したが、パターン４を取得し、照明当日以前の５日間の照明時間の平均値により、当日の照度と照明時間を決めることもできる。また、第１の記憶部における点灯時間パターンは、図４（ａ）に示されたパターンに限られるものではなく、例えば照明当日以前の１週間または１ヶ月の平均をとるパターンとしてもよい。
【００４９】
（第３実施形態）
以下に、本発明の第３実施形態について説明する。第３実施形態は、上述の第２実施形態において、電源装置１０１を構成する二次電池１０５から照明駆動部１２３への電力供給量を、前日の二次電池１０５の消費電力量、及び当日の点灯開始時の使用可能電力量（使用可能な二次電池の蓄電容量）により点灯係数を算出し、算出された点灯係数に応じて可変とするものである。
【００５０】
二次電池１０５の蓄電容量は、点灯当日の昼の時間における太陽電池１０３の発電量に左右されるので、天候により蓄電容量が異なるものとなる。そのため、例えば冬季において、蓄電容量が少ない状態で当日の点灯を行うと、蓄電容量が枯渇する可能性が生じるという問題がある。また、二次電池１０５においては、過放電保護電圧を下回った状態で充電を繰り返すと、充放電可能な繰り返し回数が減少し寿命が低下してしまうという問題もある。そこで、第３実施形態における照明装置は、出力前の二次電池の蓄電量から、点灯当日の出力容量（照明部１２１を構成する照明駆動部１２３への電力供給量）を確定することにより、上記問題点を解決することを課題とする。
【００５１】
上記課題解決のため、制御部１１２は、二次電池１０５の蓄電容量を測定する端子電圧測定部２０１（蓄電容量測定部）を備える。なお、二次電池１０５の端子電圧Ｖｂと、後述する電池容量比率との関係が一義的に求まるので、端子電圧測定部２０１は、蓄電容量として二次電池１０５の端子電圧Ｖｂを測定するものとする。また、制御部１１２は、二次電池１０５の端子電圧値を記憶する第３の記憶部（蓄電容量記憶部）を備える。照明当夜において第３の記憶部に記憶される端子電圧Ｖｂは、照明当夜の点灯開始直前の二次電池１０５の端子電圧Ｖｂ（ｍ＋１）、すなわち照明当日における充電後の端子電圧と、照明当夜の点灯終了後の端子電圧Ｖｂ（ｎ＋１）、すなわち照明当夜における放電後の端子電圧である。また、照明当夜の点灯開始前において第３の記憶部に記憶されている端子電圧Ｖｂは、照明前夜の点灯開始直前の二次電池１０５の端子電圧Ｖｂ（ｍ）、すなわち照明前日における充電後の端子電圧と、照明前夜の点灯終了後の端子電圧Ｖｂ（ｎ）、すなわち照明前夜における放電後の端子電圧である。
【００５２】
また、制御部１１２は、照明当夜の点灯開始直前の二次電池１０５の端子電圧Ｖｂ（ｍ＋１）、前夜の点灯開始直前の二次電池１０５の端子電圧Ｖｂ（ｍ）及び前夜の点灯終了後の端子電圧Ｖｂ（ｎ）から、後述する「当日のバッテリ使用可能率」（第１の差分）及び「前夜の消費電力率」（第２の差分）を、電池容量比率と端子電圧の関係を示す関係式に基づいて算出する演算部を備える。このため、制御部１１２は、二次電池１０５の端子電圧Ｖｂを変数として、後述する「電池容量比率」を求める関係式を記憶しておく第４の記憶部を備える。
【００５３】
更に、制御部１１２は、「当日のバッテリ使用可能率」の「前夜の消費電力率」に対する比率を変数として、後述する「点灯係数」を求める関係式を記憶しておく第５の記憶部を備える。また、制御部１１２は、上記点灯係数を二次電池１０５の出力容量に乗じて、乗じた電力供給量を照明駆動部１２３へ供給する電力供給制御部２０２を備える。そして、制御部１１２は、当夜の点灯開始直前において点灯係数を算出し、電力供給制御部２０２を制御し、二次電池１０５から照明駆動部１２３への電力供給量を制御する。電力供給制御部２０２は、例えば照明駆動部１２３へ電力を定電流で供給する場合、電流値に上記点灯係数を乗じた値を供給する電流値として、供給電力を変換して供給するものである。
【００５４】
以下、制御部１１２が行う二次電池１０５から照明駆動部１２３への電流供給量制御について、図７〜図９を用いて説明する。まず、図７及び図８を用いて、上記「電池容量比率」、「当日のバッテリ使用可能率」、及び「前夜の消費電力率」の定義、「点灯係数」の意義について説明し、次に、図９を用いて上記電力供給量制御について説明する。
なお、以下の説明において、二次電池１０５は鉛蓄電池で構成されるものとするが、二次電池１０５は、例えばリチウムイオン電池、ニッケル水素電池などの二次電池であってもよい。
【００５５】
図７は、鉛蓄電池の電池容量比率と、鉛蓄電池の端子電圧の関係を示すグラフである。照明装置における制御部１１２は、端子電圧測定部２０１が測定する端子電圧Ｖｂ（ｍ＋１）、第３の記憶部が記憶する端子電圧Ｖｂ（ｍ）、Ｖｂ（ｎ）を変数として、第４の記憶部が記憶する図７で示される電池容量比率と端子電圧の関係を示す関係式により、「当日のバッテリ使用可能率」及び「前夜の消費電力率」を算出する。ここで、電池容量比率とは満充電状態の容量を１００％としたときの電池容量の割合である。図７において、過放電保護電圧Ｖｈｄ及び満充電状態の端子電圧は、二次電池１０５の特性に応じて、予め設定された規定の電圧である。
また、例えば、図７において、端子電圧Ｖｂ（ｍ＋１）は照明当夜の点灯開始直前の二次電池１０５の端子電圧であり、端子電圧Ｖｂ（ｍ）は前夜の点灯開始直前の二次電池１０５の端子電圧であり、端子電圧Ｖｂ（ｎ）は前夜の点灯終了後の二次電池１０５の端子電圧である。
【００５６】
すなわち、図７に示す例においては、端子電圧Ｖｂ（ｍ＋１）に対応する電池容量比率は、約９０％であり、二次電池１０５は、点灯当日の昼間の充電により満充電状態の約９０％まで、蓄電されたことを示す。また、端子電圧Ｖｂ（ｍ）に対応する電池容量比率は、約９５％であり、二次電池１０５は、前日の昼間の充電により満充電状態の約９５％まで、蓄電されたことを示す。すなわち、点灯当日における天候により、蓄電容量は前日に比べ充電が少なかった場合を示している。また、端子電圧Ｖｂ（ｎ）に対応する電池容量比率は、約７０％であり、二次電池１０５は、前夜の点灯により満充電状態の約７０％まで、放電されたことを示す。制御部１１２は、これらの電池容量比率が過放電保護電圧Ｖｈｄに対応する電池容量比率（図７では６０％）を下回らないように制御する。
【００５７】
なお、図７において、二次電池１０５の充電後又は放電後の端子電圧と、過放電保護電圧Ｖｈｄとの差が、二次電池１０５の使用可能なバッテリ容量を求めるための電圧差である。また、二次電池１０５の充電後の端子電圧Ｖｂ（ｍ＋１）に対応する電池容量比率（図７では９０％）と過放電保護電圧Ｖｈｄに対応する電池容量比率（図７では６０％）との差の、満充電時の電池容量比率（１００％）と過放電保護電圧Ｖｈｄに対応する電池容量比率（図７では６０％）との差に対する割合を、二次電池１０５の「点灯当夜に使用可能な電池容量比率」と定義する。
【００５８】
また、二次電池１０５の充電後の端子電圧Ｖｂ（ｍ）に対応する電池容量比率（図７では９５％）と過放電保護電圧Ｖｈｄに対応する電池容量比率（図７では６０％）との差の、満充電時の電池容量比率（１００％）と過放電保護電圧Ｖｈｄに対応する電池容量比率（図７では６０％）との差に対する割合を、二次電池１０５の「前夜に使用した電池容量比率」と定義する。
また、二次電池１０５の放電後の端子電圧Ｖｂ（ｎ）に対応する電池容量比率（図７では７０％）と過放電保護電圧Ｖｈｄに対応する電池容量比率（図７では６０％）との差の、満充電時の電池容量比率（１００％）と過放電保護電圧Ｖｈｄに対応する電池容量比率（図７では６０％）との差に対する割合を、二次電池１０５の「消費電池容量比率」と定義する。
【００５９】
そして、「当日のバッテリ使用可能率」を、「点灯当夜に使用可能な電池容量比率」から「消費電池容量比率」を引いた値と定義し、「前日の消費電力率」を、「前夜に使用した電池容量比率」から「消費電池容量比率」を引いた値と定義する。
例えば、図７において、「当日のバッテリ使用可能率」は、（９０―６０）／（１００−６０）−（７０−６０）／（１００−６０）＝５０％となり、「前日の消費電力率」は、（９５―６０）／（１００−６０）−（７０−６０）／（１００−６０）＝６２．５％となる。
【００６０】
図８は、「当日のバッテリ使用可能率」の「前日の消費電力率」に対する比率と、点灯係数Ｃとの関係を示すグラフである。照明装置における制御部１１２は、第５の記憶部が記憶する、図８で示される関係式に基づき求めた点灯係数Ｃを用いて、点灯当日の二次電池１０５の出力容量を確定する。具体的には、上記例の場合、点灯当日の点灯係数Ｃを、５０％／６２．５％＝０．８とする。すなわち、点灯当日における天候により、蓄電容量が前日に比べ少なかった場合においても、点灯当夜の照明駆動部１２３への電力供給量を前夜に比べて少なくし、点灯当夜の電力消費量を低減できる。
このように、「当日のバッテリ使用可能率」の「前日の消費電力率」に対する比率を変数とし、第５の記憶部が記憶する関係式により点灯係数Ｃを決定すれば、点灯当日の充電量及び前日の使用電力量に応じて当夜の使用可能電力量を算出することとなり、蓄電容量が枯渇する可能性は低くなる。
【００６１】
また、二次電池１０５の出力電圧が、過放電保護電圧を下回った状態で、点灯しないようにすることもできる。上記計算において、照明当日におきて二次電池１０５がほとんど充電されない場合を考える。この場合、上記計算過程において、端子電圧Ｖｂ（ｍ＋１）が端子電圧Ｖｂ（ｎ）にほぼ等しくなるので、「当日のバッテリ使用可能率」は、（７０―６０）／（１００−６０）−（７０−６０）／（１００−６０）＝０％に近づき、点灯係数Ｃを０に近づけることができる。従って、二次電池１０５が過放電保護電圧を下回った状態で充電を繰り返すことによる蓄電池の寿命低下を抑制することができる。
【００６２】
次に、照明装置の動作について、図９を用いて説明する。
図９は、本実施形態の照明装置の動作フローチャートである。図９において、図６に相当する部分には、図６と同一の符号を付し、その説明を省略する。以下、図９を用いて本実施形態の照明装置の動作について、図５に示した照明装置２００の動作と相違する点について説明する。
【００６３】
昼夜検出部１１３が、制御部１１２に対して昼夜検出信号（日没検出信号）を出力（ステップ２）した後、制御部１１２は、端子電圧測定部２０１を制御し、バッテリ容量、すなわち、二次電池１０５の端子電圧を測定させる。この測定値は、上述の照明当夜の点灯開始直前の二次電池１０５の端子電圧Ｖｂ（ｍ＋１）である。制御部１１２は、端子電圧Ｖｂ（ｍ＋１）を変数として、第４の記憶部が記憶する電池容量比率と端子電圧の関係を示す関係式を用いて、端子電圧Ｖｂ（ｍ＋１）に対応する電池容量比率を算出する。また、予め設定された過放電保護電圧Ｖｈｄを変数として、過放電保護電圧Ｖｈｄに対応する電池容量比率を算出する。また、制御部１１２は、第３の記憶部が記憶する前夜の点灯終了後の端子電圧Ｖｂ（ｎ）を読み出し、端子電圧Ｖｂ（ｎ）を変数として、端子電圧Ｖｂ（ｎ）に対応する電池容量比率を算出する。
【００６４】
そして、制御部１１２は、（端子電圧Ｖｂ（ｍ＋１）に対応する電池容量比率―過放電保護電圧Ｖｈｄに対応する電池容量比率）／（１００％−過放電保護電圧Ｖｈｄに対応する電池容量比率）を計算し、「点灯当夜に使用可能な電池容量比率」を算出する。また、制御部１１２は、（端子電圧Ｖｂ（ｎ）に対応する電池容量比率−過放電保護電圧Ｖｈｄに対応する電池容量比率）／（１００％−過放電保護電圧Ｖｈｄに対応する電池容量比率）を計算し、「消費電池容量比率」を算出する。また、制御部１１２は、「点灯当夜に使用可能な電池容量比率」から「消費電池容量比率」を引いて、「当日のバッテリ使用可能率」を算出する（ステップ３１）。
【００６５】
次に、制御部１１２は、第３の記憶部が記憶する前夜の点灯開始直前の二次電池１０５の端子電圧Ｖｂ（ｍ）を読み出し、端子電圧Ｖｂ（ｍ）を変数として、第４の記憶部が記憶する電池容量比率と端子電圧の関係を示す関係式を用いて、端子電圧Ｖｂ（ｍ）に対応する電池容量比率を算出する。
そして、制御部１１２は、（端子電圧Ｖｂ（ｍ）に対応する電池容量比率―過放電保護電圧Ｖｈｄに対応する電池容量比率）／（１００％−過放電保護電圧Ｖｈｄに対応する電池容量比率）を計算し、「前夜に使用した電池容量比率」を算出する。また、制御部１１２は、「前夜に使用した電池容量比率」から「消費電池容量比率」を引いて、「前日の消費電力率」を算出する（ステップ３２）。
この後、制御部１１２は、第３の記憶部が記憶する端子電圧Ｖｂ（ｍ）を、端子電圧Ｖｂ（ｍ＋１）に置き換えて、第３の記憶部に記憶させる。
【００６６】
次に、制御部１１２は、上で求めた「当日のバッテリ使用可能率」の「前日の消費電力率」に対する比率を計算し、計算された比率を変数として、第５の記憶部が記憶する関係式を用いて点灯係数Ｃを算出する（ステップ３３）。
また、制御部１１２は、電力供給制御部２０２を制御し、上記点灯係数を二次電池１０５の出力容量に乗じて、乗じた電力供給量を照明駆動部１２３へ供給させる。これにより、以降のステップ３以降において、二次電池１０５から照明駆動部１２３への電力供給量が、点灯係数Ｃに応じて、前日の電力供給量に比べて増加又は減少した供給量となる。
【００６７】
記憶部１１４が、計数部１１５から入力される照明当夜の全点灯時間Ｔｍを記憶（ステップ１２）した後、制御部１１２は、端子電圧測定部２０１を制御し、バッテリ容量、すなわち、二次電池１０５の端子電圧を測定させる（ステップ３４）。この測定値は、翌日の点灯開始直前に、上記ステップ３１で「消費電池容量比率」の算出に用いられる、翌日から見て前夜の点灯終了後の端子電圧Ｖｂ（ｎ＋１）である。
【００６８】
また、制御部１１２は、第３の記憶部が記憶する端子電圧Ｖｂ（ｎ）を、端子電圧Ｖｂ（ｎ＋１）に置き換えて、第３の記憶部に記憶させる（ステップ３５）。続いて、制御部１１２は駆動制御部１２２に対して、照明停止信号を出力し、駆動制御部１２２は、これに応答して、照明駆動部１２３の照明部１２４への電流供給を停止させる。そして、照明駆動部１２３は、照明部１２４への電流供給を停止し、照明部１２４を消灯させる（ステップ１３）。
【００６９】
このように、第３の実施形態における照明装置は、二次電池１０５の満充電時の電池容量比率を１００％とし、二次電池１０５の過放電保護電圧Ｖｈｄ時の電池容量比率をｈｄ％としたとき、制御部１１２は、「当日のバッテリ使用可能率」（第１の差分）として、（照明当日の照明開始前の電池容量比率―ｈｄ）／（１００−ｈｄ）と、（照明前日の照明終了後の電池容量比率―ｈｄ）／（１００−ｈｄ）との差を算出する。また、制御部１１２は、「前夜の消費電力率」（第２の差分）として、（照明前日の照明開始前の電池容量比率―ｈｄ）／（１００−ｈｄ）と、（照明前日の照明終了後の電池容量比率―ｈｄ）／（１００−ｈｄ）との差を算出する。そして、制御部１１２は、第１の差分と第２の差分との比率を、照明当日の照明開始前の蓄電容量（端子電圧測定部２０１が測定した蓄電容量）に乗じた蓄電容量を、照明部１２１への電力供給量とする。
【００７０】
これにより、第３の実施形態における照明装置は、点灯当日の充電量及び前日の使用電力量に応じて当夜の使用可能電力量を算出することができるので、蓄電容量が枯渇する可能性を低くすることができる。また、二次電池１０５が過放電保護電圧を下回った状態で充電を繰り返すことによる蓄電池の寿命低下を抑制することができる。
【００７１】
なお、上述の第３の実施形態においては、二次電池１０５の端子電圧を測定し、消費される電池容量を算出する構成としたが、照明部１２１に供給される電圧（上記点灯係数による処理後のバッテリ電圧）、照明部１２４への電流供給量、及び照明時間（上記照明時間Ｔａ、Ｔｂ）をかけ合わせた電力量を計算し、消費される電池容量としてもよい。
【符号の説明】
【００７２】
１００，２００…照明装置、１０１…電源装置、１１１…照明制御部、１２１…照明部、１０２…電源部、１０３…太陽電池、１０４…充電部、１０５…二次電池、１１２…制御部、１１３…昼夜検出部、１１４…記憶部、１１５…計数部、１２２…駆動制御部、１２３…照明駆動部、１２４…照明部、Ｔｍ…照明当夜の全点灯時間、Ｔｙ，Ｔ１ｙ，Ｔ２ｙ…前日の累積点灯時間、Ｔａ，Ｔｂ…照明時間、Ｖｂ…端子電圧、Ｖｈｄ…過放電保護電圧、２０１…端子電圧測定部、２０２…電力供給制御部
【図１】
2010212232.tif 000003
【図２】
2010212232.tif 000004
【図３】
2010212232.tif 000005
【図４】
2010212232.tif 000006
【図５】
2010212232.tif 000007
【図６】
2010212232.tif 000008
【図７】
2010212232.tif 000009
【図８】
2010212232.tif 000010
【図９】
2010212232.tif 000011